(57)【要約】【課題】外出時や災害避難時に使い勝手の良い哺乳容器を提供する。【解決手段】人工乳首４が取着される蓋部材１と、ミルクＭが収容される使い捨て自在な第１コップ７Ａと、第１コップ７Ａに対して下方から外嵌されるリング状の保持部材２と、ミルクＭを加熱するための発熱剤Ｋが収容される使い捨て自在な第２コップ７Ｂと、第２コップ７Ｂに対して下方から外嵌されるリング状の支持部材３と、を備え、蓋部材１と保持部材２とを螺合して第１コップ７Ａの開口外縁鍔部71Ａを上下から挟持し、さらに、第１コップ７Ａの下方から第２コップ７Ｂを重ね合わせ状に配設した状態で、保持部材２と支持部材３とを螺合して第２コップ７Ｂの開口外縁鍔部71Ｂを上下から挟持して、第１コップ７Ａと第２コップ７Ｂの間にミルクＭを加熱するため発熱剤Ｋが収容される発熱剤収納部77を形成するように構成した。【選択図】図１
2020054677.tif 000002
【特許請求の範囲】
【請求項１】
人工乳首（４）が取着される蓋部材（１）と、ミルク（Ｍ）が収容される使い捨て自在な第１コップ（７Ａ）と、該第１コップ（７Ａ）に対して下方から外嵌されるリング状の保持部材（２）と、上記ミルク（Ｍ）を加熱するための発熱剤（Ｋ）が収容される使い捨て自在な第２コップ（７Ｂ）と、該第２コップ（７Ｂ）に対して下方から外嵌されるリング状の支持部材（３）と、を備え、
上記蓋部材（１）と上記保持部材（２）とを螺合して上記第１コップ（７Ａ）の開口外縁鍔部（71Ａ）を上下から挟持し、さらに、上記第１コップ（７Ａ）の下方から上記第２コップ（７Ｂ）を重ね合わせ状に配設した状態で、上記保持部材（２）と上記支持部材（３）とを螺合して上記第２コップ（７Ｂ）の開口外縁鍔部（71Ｂ）を上下から挟持して、上記第１コップ（７Ａ）と上記第２コップ（７Ｂ）の間に上記ミルク（Ｍ）を加熱するため上記発熱剤（Ｋ）が収容される発熱剤収納部（77）を形成するように構成したことを特徴とする哺乳容器。
【請求項２】
上記第１コップ（７Ａ）と上記第２コップ（７Ｂ）とは、同形状・同寸法のコップ（７）から成る請求項１記載の哺乳容器。
【請求項３】
上記第２コップ（７Ｂ）の下端部を支持する台座部材（８）を備え、
上記台座部材（８）は、上記第２コップ（７Ｂ）が載置される円形状の平盤部（82）と、上記平盤部（82）を包囲する円環状の凸部（80）と、該凸部（80）の下外縁部から突出する台座外鍔部（81）と、を有し、
非使用状態において、上記第１コップ（７Ａ）を挟持せずに上記蓋部材（１）と上記保持部材（２）とを螺合し、さらに、上記台座部材（８）の上記凸部（80）が下方突出状となるように上下ひっくり返して配設し、上記第２コップ（７Ｂ）を挟持せずに上記保持部材（２）と上記支持部材（３）とを螺合して上記台座部材（８）の台座外鍔部（81）を上下から挟持して、収納組付ユニット（Ｙ）となるように構成した請求項１又は２記載の哺乳容器。
【請求項４】
上記収納組付ユニット（Ｙ）の上記台座部材（８）の上記凸部（80）を、直列積層状のコップ群（70）の最上位置のコップ（７Ｄ）の開口部に内嵌させて、上記収納組付ユニット（Ｙ）と上記コップ群（70）とを一体状に携帯可能に構成すると共に、上記台座部材（８）と上記最上位置のコップ（７Ｄ）の間に、収納空間（79）が形成されるように構成した請求項３記載の哺乳容器。
【発明の詳細な説明】
【技術分野】
【０００１】
本発明は、哺乳容器に関する。
【背景技術】
【０００２】
従来の哺乳容器は、ミルクを貯えるための容器本体と、容器本体の雄ネジ口部に螺着して人工乳首を容器本体に取着するための取付キャップと、を備えたものが公知である（例えば、特許文献１参照）。
【先行技術文献】
【特許文献】
【０００３】
【特許文献１】実開昭５５−１３１２４２号公報
【発明の概要】
【発明が解決しようとする課題】
【０００４】
従来の哺乳容器は、授乳後に、容器本体の底部にまで長いブラシを挿入して洗浄し、さらに、容器本体を、煮沸して、又は、消毒液に浸して、殺菌する必要があり、手間と時間がかかるといった問題があった。特に、外出時や災害避難時においては、洗浄や殺菌を行うことが非常に困難であり、ミルクを加熱することも困難であった。
【０００５】
そこで、本発明は、外出時や災害避難時に使い勝手の良い哺乳容器の提供を目的とする。
【課題を解決するための手段】
【０００６】
本発明の哺乳容器は、人工乳首が取着される蓋部材と、ミルクが収容される使い捨て自在な第１コップと、該第１コップに対して下方から外嵌されるリング状の保持部材と、上記ミルクを加熱するための発熱剤が収容される使い捨て自在な第２コップと、該第２コップに対して下方から外嵌されるリング状の支持部材と、を備え、上記蓋部材と上記保持部材とを螺合して上記第１コップの開口外縁鍔部を上下から挟持し、さらに、上記第１コップの下方から上記第２コップを重ね合わせ状に配設した状態で、上記保持部材と上記支持部材とを螺合して上記第２コップの開口外縁鍔部を上下から挟持して、上記第１コップと上記第２コップの間に上記ミルクを加熱するため上記発熱剤が収容される発熱剤収納部を形成するように構成したものである。
また、上記第１コップと上記第２コップとは、同形状・同寸法のコップから成るものである。
また、上記第２コップの下端部を支持する台座部材を備え、上記台座部材は、上記第２コップが載置される円形状の平盤部と、上記平盤部を包囲する円環状の凸部と、該凸部の下外縁部から突出する台座外鍔部と、を有し、非使用状態において、上記第１コップを挟持せずに上記蓋部材と上記保持部材とを螺合し、さらに、上記台座部材の凸部が下方突出状となるように上下ひっくり返して配設し、上記第２コップを挟持せずに上記保持部材と上記支持部材とを螺合して上記台座部材の台座外鍔部を上下から挟持して、収納組付ユニットとなるように構成したものである。
また、上記収納組付ユニットの上記台座部材の凸部を、直列積層状のコップ群の最上位置のコップの開口部に内嵌させて、上記収納組付ユニットと上記コップ群とを一体状に携帯可能に構成すると共に、上記台座部材と上記最上位置のコップの間に、収納空間が形成されるように構成したものである。
【発明の効果】
【０００７】
本発明によれば、第２コップに収容している発熱剤で第１コップ内のミルクを加熱でき、コンロや湯煎用鍋を用いずに加熱が可能となる。使用後に、第１コップと第２コップを廃棄（使い捨て）し、洗浄や殺菌にかかる手間と時間を削減できる。つまり、洗い場や調理場の使用時間や使用範囲が限定される外出時や災害避難時において至便である。第１・第２コップの形状が簡素で容易に大量生産でき、使い捨て用として好適である。また、市販の液体ミルクを乳児が飲みやすくするために、人肌程度に温めるのに最適である。
【図面の簡単な説明】
【０００８】
【図１】本発明の実施の一形態を示す断面正面図である。
【図２】分解斜視図である。
【図３】収納短縮組付状態の断面正面図である。
【図４】コップ取付け収納状態の断面正面図である。
【発明を実施するための形態】
【０００９】
以下、図示の実施形態に基づき本発明を詳説する。
本発明に係る哺乳容器は、図１と図２に示すように、ゴム製の人工乳首４が着脱自在に取着される蓋部材１と、ミルクＭが収容される使い捨て自在な紙製の第１コップ７Ａと、第１コップ７Ａに対して下方から外嵌されるリング状の保持部材２と、ミルクＭを加熱するための発熱剤Ｋが収容される使い捨て自在な紙製の第２コップ７Ｂと、第２コップ７Ｂに対して下方から外嵌されるリング状の支持部材３と、第２コップ７Ｂの下端部を支持する台座部材８と、蓋部材１に人工乳首４を取着するための取付キャップ５と、取付キャップ５に取着して人工乳首４を保護するための保護キャップ６と、を備えている。
【００１０】
第１コップ７Ａと第２コップ７Ｂとは、同形状かつ同寸法の（同種類の）紙製のコップ７であって、上方開口部の縁に外鍔状の開口外縁鍔部71Ａ，71Ｂを有すると共に、下方縮径型のテーパー状外周壁部72Ａ，72Ｂを有している。また、図示省略するが、第１コップ７Ａ及び第２コップ７Ｂは、外周壁部72Ａ，72Ｂの内周面に、内部に貯えた液体の容量を測ることが可能な目盛を印刷等によって、表示している。また、内部が殺菌（滅菌）処理や抗菌処理が行われたものが望ましい。
【００１１】
蓋部材１は、樹脂成形品であって、第１コップ７Ａに対して施蓋状に配設される平面視円形状の蓋上壁部16と、蓋上壁部16の中央部に上方突出状に設けられたミルク流出用の筒状口部11と、筒状口部11に形成された蓋雄ネジ部12と、蓋上壁部16の外周縁部から垂下状に設けられた外周壁部10と、外周壁部10に形成された蓋雌ネジ部14と、第１コップ７Ａの開口外縁鍔部71Ａに上方から当接して押圧するための底面視円環状の押圧裏面15と、を有している。押圧裏面15は、蓋雌ネジ部14よりもラジアル内方位置かつ蓋雌ネジ部14の上端部近傍に配設される段差部の下面である。なお、蓋部材１は、透明乃至半透明の樹脂で形成するのが好ましい。第１コップ７Ａの内面に印刷又は付加された目盛りによりミルクＭの残量を確認できる。言い換えると、蓋部材１は、第１コップ７Ａ内のミルクＭが目視可能な可視光線透過率をもった樹脂で成形するのが好ましい。
【００１２】
取付キャップ５は、樹脂成形品であって、中心孔53とキャップ雌ネジ部52と、人工乳首４の下端外鍔部41を押圧するための押さえ裏面55と、を有している。取付キャップ５は、中心孔53に人工乳首４の乳首本体部40を挿通させると共に、キャップ雌ネジ部52を蓋雄ネジ部12に螺着させて、押さえ裏面55と筒状口部11の上端面とで人工乳首４の下端外鍔部41を挟持して、蓋部材１の筒状口部11と人工乳首４の内部を連通させて蓋部材１に人工乳首４を着脱自在に取着している。また、既存（市販品）の人工乳首４を蓋部材１に取着可能としている。
【００１３】
保持部材２は、樹脂成形品であって、円筒状の外周壁部20の上部に形成された上雄ネジ部24と、外周壁部20の下部に形成された下雄ネジ部22と、第１コップ７Ａの開口外縁鍔部71Ａに下方から当接して支持するための平面視円環状の支持面25と、第２コップ７Ｂの開口外縁鍔部71Ｂに上方から当接して押圧するための底面視円環状の押圧面26と、外周壁部20の上下中間部に形成された外鍔状の把持部29と、を有している。支持面25は外周壁部20の上端面であり、押圧面26は外周壁部20の下端面である。
【００１４】
保持部材２は、第１コップ７Ａに対して下方から外嵌される。そして、保持部材２の上雄ネジ部24に、蓋部材１の蓋雌ネジ部14が螺着して、保持部材２の支持面25と、蓋部材１の押圧裏面15とで、第１コップ７Ａの開口外縁鍔部71Ａを上下から密封状に挟持して、第１コップ７Ａの内部と蓋部材１の筒状口部11を連通させて第１コップ７Ａに蓋部材１を取着している。このように、開口外縁鍔部71Ａを挟圧する構造により水密性が確保される。
【００１５】
支持部材３は、樹脂成形品であって、円筒状の外周壁部30と、外周壁部30に形成された雌ネジ部32と、第２コップ７Ｂの開口外縁鍔部71Ｂに下方から当接して支持するための平面視円環状の支持面35と、を有している。支持面35は、外周壁部30の下端部に設けられた内鍔部の上面である。
【００１６】
支持部材３は、第２コップ７Ｂに対して下方から外嵌される。そして、支持部材３の雌ネジ部32が、保持部材２の下雄ネジ部22に螺着して、支持部材３の支持面35と、保持部材２の押圧面26とで、第２コップ７Ｂの開口外縁外鍔部71Ｂを上下から密封状に挟持する。
【００１７】
保持部材２は、支持面25と押圧面26を上下方向に所定寸法Ｈだけ離間させているので、第１コップ７Ａよりも第２コップ７Ｂを大きく形成せずに（別部品とせずに）、第１コップ７Ａと第２コップ７Ｂを同寸法・同形状としながらも、発熱剤Ｋを発熱させるのに十分な発熱剤収納部77を形成するように構成している。
言い換えると、第１コップ７Ａと第２コップ７Ｂとを同軸心状に上下に重ね合わせ状に配設した状態で、第１コップ７Ａの外周面と第２コップ７Ｂの内周面の間、及び、第１コップ７Ａの底外面と第２コップ７Ｂの底内面間に、発熱剤Ｋによって発生した高温の蒸気が充満する空間部（発熱剤収納部）77を形成するように構成している。
【００１８】
さらに、保持部材２は、発熱剤収納部77と外部と連通させ、発熱剤収納部77内の過剰な蒸気を外部へ吐出させる複数の通気孔27を有している。蒸気による第２コップ７Ｂの膨張や第１コップ７Ａの圧縮を防止でき、安全に加熱を行える。なお、図例の通気孔27は、外周壁部20をラジアル方向に貫通するように設けているが、他の箇所に設けるも良い。
【００１９】
発熱剤Ｋは、火や電気を使用せずに化学反応によって発熱するものであって、不織布や織物生地等の袋に収納されている。発熱剤Ｋは、第１コップ７Ａ内のミルクＭを約５０度〜約６０度に加熱した状態を２０分〜２５分程度維持できるものが好ましい。なお、第１コップ７Ａ内のミルクＭを約８０度まで加熱可能な発熱剤Ｋを用いて、粉ミルクを溶かしたミルクＭを殺菌可能とすることもできる。発熱剤Ｋとしては、数滴の水に触れさせることで発熱し、高温の蒸気を発生させるものが好ましく、発熱剤Ｋの成分としては、例えば、粉末生石灰等の酸化カルシウム（ＣａＯ）と粉末アルミニウム（Ａｌ）とを混合させたものである。なお、発熱剤Ｋとしては、空気中の湿気を吸うと発熱するものや、空気に触れると発熱するものとするも良い。
【００２０】
そして、ミルク加熱作業としては、液状のミルクＭを収容している第１コップ７Ａの開口外縁鍔部71Ａを、蓋部材１と保持部材２とで挟圧しつつ、蓋部材１と保持部材２を螺合する。つまり、第１コップ７Ａに人工乳首４付の蓋部材１が取着した状態となる。
次に、第２コップ７Ｂに収容している発熱剤Ｋを発熱状態にさせ、第１コップ７Ａの下方から第２コップ７Ｂを重ね合わせ状に配設して、第２コップ７Ｂの開口外縁外鍔部71Ｂを、保持部材２と支持部材３とで挟圧しつつ、保持部材２と支持部材３を螺合する。保持部材２に第２コップ７Ｂが取着され、第１コップ７Ａと第２コップ７Ｂの間に、発熱状態の発熱剤Ｋを収容する発熱剤収納部77が形成される。
なお、発熱剤Ｋを発熱状態にするタイミングは、第２コップ７Ｂを保持部材２に取着後に、通気孔27から水を注入するも良い。
【００２１】
発熱剤Ｋによって発生した加熱用の蒸気は、発熱剤収納部77に充満して、第１コップ７Ａの底部と外周壁部72Ａに接触し、第１コップ７Ａ内のミルクＭを加熱する。湯煎用の鍋や、鍋を温めるコンロ等の大きな加熱調理器具を用いずに、ミルクＭの加熱が行われる。
【００２２】
所定加熱時間後に、保持部材２から支持部材３を螺退させ、第２コップ７Ｂを取外すと共に、取付キャップ５から保護キャップ６を取外し、人工乳首４と取付キャップ５と蓋部材１と第１コップ７Ａと保持部材２とが一体状に組み付けられた哺乳器本体を形成する。この哺乳器本体を用いてミルクＭを授乳させる。
なお、ミルクＭの加熱状態（保温）を維持するために、第２コップ７Ｂを離脱せずに授乳するも良い。
【００２３】
さらに、授乳後は、第１コップ７Ａ及び第２コップ７Ｂを、廃棄することで、洗浄と殺菌の手間を削減できる。数時間後に、再び、授乳を行う場合は、予め用意している新たな２つのコップ７，７を、第１コップ７Ａ及び第２コップ７Ｂとして使用することで、衛生的にミルクＭを加熱することができる。なお、第１コップ７Ａは、１回で使い捨てるのが好ましいが、第２コップ７Ｂは、加熱・保温用であるため、複数回使用後に、使い捨てるも良い。また、紙製のコップ７はコンパクトに折り畳んで（小さく潰して）破棄でき、使い捨てに好適である。
【００２４】
また、台座部材８は、樹脂成形品であって、第２コップ７Ｂが載置される円形状の平盤部82と、平盤部82を包囲する円環状の凸部80と、凸部80の下外縁部から突出する台座外鍔部81と、を有し、第２コップ７Ｂの下端部と水平面状の載置面Ｇの間に配設されるコースター型（コップ敷き型）である。
凸部80は、横断面台形状であって、上方拡径型のテーパー状の内周面が、第２コップ７Ｂの外周壁部72Ｂの下端部に外嵌して支持し、ミルク加熱中の転倒を防止する。
【００２５】
また、第２コップ７Ｂは、第１コップ７Ａと同形状・同寸法であるため、図１の状態から第２コップ７Ｂを取外した場合に、第１コップ７Ａの下端部を台座部材８にて支持させることも可能である。つまり、授乳中の一時的な仮置きにも使用できる。
【００２６】
そして、非使用時においては、図３に示すように、第１コップ７Ａを挟持せずに蓋部材１と保持部材２を螺合し、さらに、台座部材８を上下ひっくり返して、凸部80を下方突出状となるように配設し、台座外鍔部81を、保持部材２の押圧面26と支持部材３の支持面35とで挟持することで、収納短縮組付状態Ｙ（収納組付ユニットＹ）にできる。
つまり、保護キャップ６、人工乳首４、取付キャップ５、蓋部材１、保持部材２、支持部材３、台座部材８を、一体状とした収納短縮組付状態Ｙで（収納組付ユニットＹとして）、バッグ等に収納して持ち運びでき、紛失を防止できる。台座部材８が底蓋作用を発揮して、衛生的に持ち運びできる。
【００２７】
さらに、図４に示すように、直列状に積層された複数のコップ７，７から成るコップ群70の最上位置のコップ７（７Ｄ）の開口部に、収納短縮組付状態Ｙでの台座部材８を、施蓋状に配設して、凸部80を差込むことで、凸部80のテーパー状外周面が、最上位置のコップ７Ｄのテーパー状内周面に弾性変形により内嵌できる。即ち、直列積層状のコップ群70を、収納組付ユニットＹと一体状として、持ち運びできる。このコップ群70から選択した２つを、第１コップ７Ａと第２コップ７Ｂとして使用する。
【００２８】
また、台座部材８とコップ７（最上位置のコップ７Ｄ）の間には、持ち運び用収納空間79が形成され、発熱剤Ｋや、発熱剤Ｋを発熱させるための水が収納された小容器や密封袋等の貯水部材Ｊ等を収容可能であり、災害避難時や災害備蓄用として好適である。
なお、図３と図４の収納組付ユニットＹ（収納短縮組付状態Ｙ）に於て、図示省略するが、取付キャップ５から保護キャップ６及び人工乳首４を取外す。そして、保護キャップ６を収納空間79に収容し、取付キャップ５の中心孔53を密封状に塞ぐようにシート状のシール部材を貼着するも良い。人工乳首４は、複数個、準備して、収納組付ユニットＹとは別梱包とし、複数個の人工乳首４を衛生的な袋や箱等に収容して携帯・備蓄するも良い。また、図４に於て、発熱剤Ｋをそのまま図示しているが、実際には、薄いシート状の保護袋に収容されている状態で、上記収納空間79に収容される。また、発熱剤Ｋや貯水部材Ｊは、コップ群70を形成するコップ７の数に対応させて、複数個（図示省略）を、収納空間79に収容するのが望ましい。
【００２９】
図１と図２に於て、保護キャップ６は、樹脂成形品のドーム型であって、取付キャップ５に着脱自在であって、保護キャップ６の下端部が取付キャップ５の外周壁部に外嵌して、取付キャップ５から上方突出状の乳首本体部40を包囲して保護する。
【００３０】
また、図２に於て、取付キャップ５の外周壁部、蓋部材１の外周壁部10、保持部材２の把持部29、支持部材３の外周壁部30、の各外周面には、回転操作を容易にするための手滑り防止用の凹凸部を形成している。
【００３１】
なお、本発明は、設計変更可能であって、図示省略するが、保持部材２の把持部29は、外鍔形状に限らず、ハンドル形状等自由である。支持部材３に、第２コップ７Ｂの外周壁部72Ｂを包囲するような円筒状の把持部や、ハンドル状の把持部を設けるも良い。開口外縁鍔部71Ａ，71Ｂの形状は、図例のような横断面平板状に限らず、横断面円形状や縁巻形状（渦巻き形状）等自由である。また、コップ７（第１・第２コップ７Ａ，７Ｂ）の材質としては、紙製に限らず、生分解性を有するバイオプラスチック等の樹脂製とするも良い。樹脂（プラスチック）としては、断熱性（保温性）を有する発泡プラスチックが望ましい。
【００３２】
なお、図１に示すように、蓋部材１の軸心Ｌａと、保持部材２、支持部材３、人工乳首４、取付キャップ５、保護キャップ６、コップ７、台座部材８の各軸心は、同軸心状に配設される。
【００３３】
以上のように、本発明の哺乳容器は、人工乳首４が取着される蓋部材１と、ミルクＭが収容される使い捨て自在な第１コップ７Ａと、該第１コップ７Ａに対して下方から外嵌されるリング状の保持部材２と、上記ミルクＭを加熱するための発熱剤Ｋが収容される使い捨て自在な第２コップ７Ｂと、該第２コップ７Ｂに対して下方から外嵌されるリング状の支持部材３と、を備え、上記蓋部材１と上記保持部材２とを螺合して上記第１コップ７Ａの開口外縁鍔部71Ａを上下から挟持し、さらに、上記第１コップ７Ａの下方から上記第２コップ７Ｂを重ね合わせ状に配設した状態で、上記保持部材２と上記支持部材３とを螺合して上記第２コップ７Ｂの開口外縁鍔部71Ｂを上下から挟持して、上記第１コップ７Ａと上記第２コップ７Ｂの間に上記ミルクＭを加熱するため上記発熱剤Ｋが収容される発熱剤収納部77を形成するように構成したので、第２コップ７Ｂ内の発熱剤Ｋにて第１コップ７Ａ内のミルクＭを加熱でき、コンロや湯煎用鍋を用いずに加熱が可能となる。ミルクＭ加熱後や授乳後に、ミルクＭを収容していた第１コップ７Ａと発熱剤Ｋを収容していた第２コップ７Ｂを使い捨てし、洗浄や殺菌にかかる手間と時間を削減できる。つまり、洗い場や調理場の使用時間や使用範囲が限定される外出時や災害避難時において至便である。第１・第２コップ７Ａ，７Ｂの形状が簡素で容易（安価）に大量生産できて使い捨て用として好適である。
【００３４】
上記第１コップ７Ａと上記第２コップ７Ｂとは、同形状・同寸法のコップ７から成るので、第１コップ７Ａ及び第２コップ７Ｂを容易（安価）に大量生産でき、使い捨てとして用いるのに最適である。ミルク加熱準備の際に、コップの大きさや形状を気にせずに、容易かつ迅速に組み付けることができる。
【００３５】
また、上記第２コップ７Ｂの下端部を支持する台座部材８を備え、上記台座部材８は、上記第２コップ７Ｂが載置される円形状の平盤部82と、上記平盤部82を包囲する円環状の凸部80と、該凸部80の下外縁部から突出する台座外鍔部81と、を有し、非使用状態において、上記第１コップ７Ａを挟持せずに上記蓋部材１と上記保持部材２とを螺合し、さらに、上記台座部材８の凸部80が下方突出状となるように上下ひっくり返して配設し、上記第２コップ７Ｂを挟持せずに上記保持部材２と上記支持部材３とを螺合して上記台座部材８の台座外鍔部81を上下から挟持して、収納組付ユニットＹとなるように構成したので、バッグ等に収納して持ち運びでき、紛失を防止できる。台座部材８が底蓋作用を発揮して、衛生的に持ち運びできる。
【００３６】
また、上記収納組付ユニットＹの上記台座部材８の凸部80を、直列積層状のコップ群70の最上位置のコップ７Ｄの開口部に内嵌させて、上記収納組付ユニットＹと上記コップ群70とを一体状に携帯可能に構成すると共に、上記台座部材８と上記最上位置のコップ７Ｄの間に、収納空間79が形成されるように構成したので、発熱剤Ｋや、発熱剤Ｋを発熱させるための水が収納された小容器や密封袋等の貯水部材Ｊ等を収容可能であり、災害避難時や災害備蓄用として好適である。
【符号の説明】
【００３７】
１  蓋部材
２  保持部材
３  支持部材
４  人工乳首
７  コップ
７Ａ  第１コップ
７Ｂ  第２コップ
７Ｄ  最上位置のコップ
８  台座部材
70  コップ群
71Ａ  開口外縁鍔部
71Ｂ  開口外縁鍔部
77  発熱剤収納部
79  収納空間
80  凸部
81  台座外鍔部
82  平盤部
Ｋ  発熱剤
Ｍ  ミルク
Ｙ  収納組付ユニット
【図１】
2020054677.tif 000003
【図２】
2020054677.tif 000004
【図３】
2020054677.tif 000005
【図４】
2020054677.tif 000006